(57)【要約】【課題】外壁材の取付を簡略化することができる外壁材の取付構造を提供する。【解決手段】複数の柱１を立設し、各柱１に外壁下地材２を取り付けると共に、外壁材３を外壁下地材２に固定具４で固定することによって形成される外壁材の取付構造に関する。固定具４に設けた差込片５を外壁下地材２に設けた差込穴６に差し込むことによって外壁下地材２に固定具４を取り付ける。固定具４に設けた支持部７で外壁材３を支持することによって外壁材３を固定する。【選択図】図１
2006090091.tif 000002
【特許請求の範囲】
【請求項１】
複数の柱を立設し、各柱に外壁下地材を取り付けると共に、外壁材を外壁下地材に固定具で固定することによって形成される外壁材の取付構造において、固定具に設けた差込片を外壁下地材に設けた差込穴に差し込むことによって外壁下地材に固定具を取り付けると共に、固定具に設けた支持部で外壁材を支持することによって外壁材を固定して成ることを特徴とする外壁材の取付構造。
【請求項２】
固定具の差込片に膨出部を設けて成ることを特徴とする請求項１に記載の外壁材の取付構造。
【請求項３】
固定具の差込片がバネ性を有して成ることを特徴とする請求項１又は２に記載の外壁材の取付構造。
【請求項４】
外壁下地材に一定間隔で差込穴を設けて成ることを特徴とする請求項１乃至３のいずれかに記載の外壁材の取付構造。
【請求項５】
固定具が、差込片を設けた固定板と支持部を設けた支持板とを回動自在に結合させることによって形成されて成ることを特徴とする請求項１乃至４のいずれかに記載の外壁材の取付構造。
【発明の詳細な説明】
【技術分野】
【０００１】
本発明は、住宅等の建築物における外壁材の取付構造に関するものである。
【背景技術】
【０００２】
従来、住宅等の建築物において、外壁材３（サイディング）は図６に示すようにして取り付けられていた。すなわち、この外壁材の取付構造は、複数の柱１を離間させて立設し、透湿防水シート１１を挟んで、各柱１に外壁下地材２（縦胴縁）を取り付けた後、固定具４で外壁下地材２に外壁材３を取り付けるようにしたものである（例えば、特許文献１参照。）。
【０００３】
ここで、上記固定具４としては、図７に示すようなものが用いられている。この固定具４は、矩形状の金属板の上半分の中央部に通孔２２を穿設すると共に、下半分に切り込みを入れ、折曲加工して下部支え片１７及び上部支え片１６を設けることによって形成されている。そして、図６のように上部支え片１６で外壁材３の上部を支えた上で、通孔２２に通した釘やビスで固定具４を外壁下地材２に取り付けるものであり、さらに、下部支え片１７で外壁材３の下部を支えることで、外壁材３を上下方向に取り付けていくことができるものである。
【特許文献１】特開２０００−２９１２２９号公報
【発明の開示】
【発明が解決しようとする課題】
【０００４】
しかしながら、上述した従来の方法では、固定具４を外壁下地材２に取り付けるにあたって釘やビスが必要であり、さらに、施工現場において固定具４を取り付ける位置を外壁下地材２ごとに決めなければならず、施工に手間がかかり、作業性の悪いものであった。
【０００５】
本発明は上記の点に鑑みてなされたものであり、外壁材の取付を簡略化することができる外壁材の取付構造を提供することを目的とするものである。
【課題を解決するための手段】
【０００６】
本発明の請求項１に係る外壁材の取付構造は、複数の柱１を立設し、各柱１に外壁下地材２を取り付けると共に、外壁材３を外壁下地材２に固定具４で固定することによって形成される外壁材の取付構造において、固定具４に設けた差込片５を外壁下地材２に設けた差込穴６に差し込むことによって外壁下地材２に固定具４を取り付けると共に、固定具４に設けた支持部７で外壁材３を支持することによって外壁材３を固定して成ることを特徴とするものである。
【０００７】
請求項２の発明は、請求項１において、固定具４の差込片５に膨出部８を設けて成ることを特徴とするものである。
【０００８】
請求項３の発明は、請求項１又は２において、固定具４の差込片５がバネ性を有して成ることを特徴とするものである。
【０００９】
請求項４の発明は、請求項１乃至３のいずれかにおいて、外壁下地材２に一定間隔で差込穴６を設けて成ることを特徴とするものである。
【００１０】
請求項５の発明は、請求項１乃至４のいずれかにおいて、固定具４が、差込片５を設けた固定板９と支持部７を設けた支持板１０とを回動自在に結合させることによって形成されて成ることを特徴とするものである。
【発明の効果】
【００１１】
本発明の請求項１に係る外壁材の取付構造によれば、固定具を外壁下地材に取り付けるにあたって、釘打ちやビス止めが不要であり、また、あらかじめ外壁下地材に設けておいた差込穴に固定具の差込片を差し込むだけでよく、固定具を取り付ける位置を施工現場において決める必要がなくなり、施工に手間がかからず、作業性が良くなって、外壁材の取付を簡略化することができるものである。
【００１２】
請求項２の発明によれば、膨出部が差込穴の開口縁部に引っ掛かることによって、外壁下地材から固定具を抜けにくくすることができるものである。
【００１３】
請求項３の発明によれば、差込片に設けた膨出部が差込穴の開口縁部に弾接することによって、外壁下地材に取り付けた固定具ががたつかないようにすることができるものである。
【００１４】
請求項４の発明によれば、固定具を取り付ける位置を施工現場において決める必要がなくなり、施工に手間がかからず、より一層作業性が良くなるものである。
【００１５】
請求項５の発明によれば、地震等で固定板が柱と共に揺れ動いても、支持板は固定板に対して回動自在であるため、支持板で支持される外壁材は柱と共に揺れ動かず、脱落を防止することができるものである。
【発明を実施するための最良の形態】
【００１６】
以下、本発明の実施の形態を説明する。
【００１７】
図１は本発明に係る外壁材の取付構造の一例を示すものである。この例では、まず、複数の柱１を離間して立設し、各柱１の屋外側に透湿防水シート１１を張設すると共にこの透湿防水シート１１を挟んで、各柱１の屋外側の面に外壁下地材２（縦胴縁）を取り付ける。ここで、上記柱１には間柱も含まれる。また、透湿防水シート１１は従来と同様のものを用いることができ、さらに、各柱１への外壁下地材２の取付は従来と同様に行うことができる。
【００１８】
次に、複数の外壁材３を隣接させて外壁下地材２に固定具４で固定する。固定具４としては、差込片５及び支持部７を設けて形成されるものを用いる。図２にその一例を示す。この固定具４は、矩形状の金属板に切り込みを入れて折曲加工することによって形成することができる。具体的には、上記金属板の一方の面には複数の差込片５が突設してあり、隣り合う差込片５の中央部にはそれぞれ反対向きに膨出部８が屈曲加工により設けてある。より詳細に説明すると、図２に示すものにおいては、上記金属板の一方の面に３つの差込片５が突設してあり、中央の差込片５の中央部には上膨出部１３が設けてあると共に、両側の差込片５の中央部には下膨出部１４が設けてある。なお、差込片５は１つであってもよい。一方、上記差込片５が形成してある面とは反対側の面である上記金属板の他方の面には受け片１５を突設させると共に、この受け片１５の先端から上部支え片１６及び下部支え片１７を相互に反対向きに延設させることによって支持部７が形成してある。より詳細に説明すると、図２に示すものにおいては、上記受け片１５の先端の中央から１つの下部支え片１７が延設してあると共に、上記受け片１５の先端の両側から２つの上部支え片１６が延設してある。
【００１９】
外壁下地材２としては、差込穴６を設けて形成されるものを用いる。図３にその一例を示す。差込穴６は、固定具４の差込片５が差し込まれる形状に設けてある。具体的には、本例では図２に示すような固定具４を用いるので、３つの差込片５が略水平に差し込まれるように差込穴６は長孔状（スリット状）に設けてある。また、差込穴６は幅狭に設けてあるので、上述したように固定具４の差込片５に膨出部８が設けてあると、外壁下地材２の差込穴６に固定具４の差込片５を差し込んだ後に、膨出部８が差込穴６の開口縁部に引っ掛かることによって、外壁下地材２から固定具４を抜けにくくすることができるものである。また、上述したように固定具４を金属製にするなどして、固定具４の差込片５がバネ性を有するようにすると、膨出部８を弾性変形させて一時的に平たくすることができるので、スムーズに外壁下地材２の差込穴６に固定具４の差込片５を差し込むことができるものである。外壁下地材２の差込穴６に固定具４の差込片５を差し込んだ後には、差込片５に設けた膨出部８が元の形状に復元して差込穴６の開口縁部に弾接するので、外壁下地材２に取り付けた固定具４ががたつかないようにすることができるものである。また、外壁下地材２の屋外側の面には一定間隔で差込穴６を設けてある。このようにすると、固定具４を取り付ける位置を施工現場において決める必要がなくなり、施工に手間がかからず、作業性が良くなるものである。上記一定間隔とは、具体的には、外壁材３の上下方向の幅であり、例えば、４５５ｍｍ間隔である。
【００２０】
そして、固定具４に設けた支持部７で外壁材３を支持することによって外壁材３を固定していく。具体的には、図１のように固定具４の上部支え片１６で外壁材３の上部に設けた雄実部１８を支えながら、固定具４に設けた差込片５を外壁下地材２に設けた差込穴６に差し込むことによって、固定具４を外壁下地材２に取り付けるものである。さらに、図示省略しているが、固定具４の受け片１５の上に外壁材３を載置し、外壁材３の下部を固定具４の下部支え片１７で支えることで、外壁材３を上下方向に取り付けていくことができるものである。このように、固定具４を外壁下地材２に取り付けるにあたって、従来のような釘打ちやビス止めが不要であり、また、あらかじめ外壁下地材２に設けておいた差込穴６に固定具４の差込片５を差し込むだけでよく、固定具４を取り付ける位置を施工現場において決める必要がなくなり、施工に手間がかからず、作業性が良くなって、外壁材３の取付を簡略化することができるものである。
【００２１】
図４は固定具４の他例を示すものであり、この固定具４は、差込片５を設けた固定板９と支持部７を設けた支持板１０とを回動自在に結合させることによって形成してある。具体的には、上記固定板９と支持板１０はいずれも矩形状の金属板で形成することができる。上記固定板９の片側の面には複数の差込片５が突設してあり、隣り合う差込片５の中央部にはそれぞれ反対向きに膨出部８が屈曲加工により設けてある。より詳細に説明すると、図４に示すものにおいては、上記固定板９の一方の面に３つの差込片５が突設してあり、中央の差込片５の中央部には上膨出部１３が設けてあると共に、両側の差込片５の中央部には下膨出部１４が設けてある。なお、差込片５は１つであってもよい。一方、上記支持板１０の片側の面には受け片１５を突設させると共に、この受け片１５の先端から上部支え片１６及び下部支え片１７を相互に反対向きに延設させることによって支持部７が形成してある。より詳細に説明すると、図４に示すものにおいては、上記受け片１５の先端の中央から１つの下部支え片１７が延設してあると共に、上記受け片１５の先端の両側から２つの上部支え片１６が延設してある。そして、差込片５と支持部７を外側に向けて、固定板９と支持板１０を重ね、この両者の中央部に穿設した通孔１９，２０にリベット２１を挿入してその端部をつぶすことによって、固定板９と支持板１０とを回動自在に結合することができる。このようにして形成される固定具４を図２に示す固定具４と同様に用いて外壁材３を取り付けると、例えば、図５に示すように地震等で固定板９が外壁下地材２と共に揺れ動いても、支持板１０は固定板９に対して回動自在であるため、支持板１０で支持される外壁材３は柱と共に揺れ動かず、元の状態を保持することができ、脱落を防止することができるものである。
【図面の簡単な説明】
【００２２】
【図１】本発明の実施の形態の一例を示す斜視図である。
【図２】同上の固定具の一例を示すものであり、（ａ）は正面図、（ｂ）は断面図、（ｃ）は平面図、（ｄ）は斜視図である。
【図３】外壁下地材に固定具を取り付ける工程を示す斜視図である。
【図４】固定具の他例を示すものであり、（ａ）は分解斜視図、（ｂ）は断面図である。
【図５】同上の固定具を用いている場合において、地震等で柱が傾いたときの状態を示す正面図である。
【図６】従来例を示す斜視図である。
【図７】同上の固定具の一例を示す斜視図である。
【符号の説明】
【００２３】
１  柱
２  外壁下地材（縦胴縁）
３  外壁材
４  固定具
５  差込片
６  差込穴
７  支持部
８  膨出部
９  固定板
１０  支持板
【図１】
2006090091.tif 000003
【図２】
2006090091.tif 000004
【図３】
2006090091.tif 000005
【図４】
2006090091.tif 000006
【図５】
2006090091.tif 000007
【図６】
2006090091.tif 000008
【図７】
2006090091.tif 000009